(57)【特許請求の範囲】
【請求項１】
地面に立設された円柱に３つの取付金具を取付け、それぞれ取付金具を介して３方向に向けて横ビームが配置された横ビームの取付構造であって、前記取付金具は、円柱の径方向に沿って延びる縦板部の一方の面側の上下端部に横板部が設けられて形成されたコ字状の受け板部が一端部に設けられ、前記受け板部は、円柱から離れる方向に向けて上下方向に幅狭となる台形状に形成されると共にこの台形状の上下斜辺から前記上下の横板部が形成され、この上下の横板部間に横ビームが円柱の径方向に沿って支持されるようになされ、かつ、前記縦板部の円柱側の端部が横板部が設けられた面側に折り曲げられると共にさらに横板部と反対側に凹弧状に折り曲げられて形成された固定板部が他端側に設けられ、該固定板部が円柱の側壁に固定されるようになされたものであり、そして、２つの取付金具が、前記固定板部を内側にして相対向して配置され且つ一方の固定板部の裏面が他方の固定板部の表面に重合されて１対となされると共に、前記固定板部の重合部から円柱を経て残りの取付金具の固定板部に貫通する固定ボルトによってそれぞれの取付金具が円柱に取付けられるようになされていることを特徴とする横ビームの取付構造。
【発明の詳細な説明】
【技術分野】
【０００１】
本発明は、防護柵や塀等において、円柱から３乃至４方向に向けて横ビームを取付けるための横ビームの取付構造に関するものである。
【背景技術】
【０００２】
従来、道路等に設置される防護柵として、例えば、平面視略コ字状のブラケットを介して横ビームを取付けた防護柵が知られている。上記防護柵における横ビームの支柱への取付構造は、特許文献１の図面の図９に示されるように、支柱に平面視コ字状のブラケットを介して横ビームを取付ける構造であって、支柱には、ブラケットを取付けるための取付けボルトを挿通するためのボルト孔が形成され、一方、ブラケットの支柱への取付け側の面には前記取付けボルトを挿通するための孔が形成され、ブラケットの支柱取付側の面から突設された２つの面にはビーム取付ボルトをもって横ビームを取付けるためのボルト孔が穿設されているものである（特許文献１参照。）。
【０００３】
【特許文献１】実開昭６２−１９０７１２号公報
【発明の開示】
【発明が解決しようとする課題】
【０００４】
ところで、前記に示された防護柵において、支柱から別の横ビーム或いは胴縁を分岐させて取付ける場合、特許文献１に示される防護柵においては、分岐横ビームを取付けるためのブラケットを取付けるために新たに支柱にボルト貫通孔を設ける必要があり、更に、既設のブラケット用固定ボルトと分岐横ビーム用固定ボルトとの高さは一致せず、その結果、既設横ビームと分岐横ビームとの高さを合わせるのが困難となり、その点が不足するものであった。
【０００５】
本発明は、前記の如き問題点を解消し、１の円柱に３乃至４本の横ビームを取付ける際、その取付高さを合わせることが可能な横ビームの取付構造を提供せんとするものである。
【課題を解決するための手段】
【０００６】
上記目的を達成するために、本発明は次のような構成としている。
すなわちこの発明に係る横ビームの取付構造は、地面に立設された円柱に３つの取付金具を取付け、それぞれ取付金具を介して３方向に向けて横ビームが配置された横ビームの取付構造であって、前記取付金具は、円柱の径方向に沿って延びる縦板部の一方の面側の上下端部に横板部が設けられて形成されたコ字状の受け板部が一端部に設けられ、前記受け板部は、円柱から離れる方向に向けて上下方向に幅狭となる台形状に形成されると共にこの台形状の上下斜辺から前記上下の横板部が形成され、この上下の横板部間に横ビームが円柱の径方向に沿って支持されるようになされ、かつ、前記縦板部の円柱側の端部が横板部が設けられた面側に折り曲げられると共にさらに横板部と反対側に凹弧状に折り曲げられて形成された固定板部が他端側に設けられ、該固定板部が円柱の側壁に固定されるようになされたものであり、そして、２つの取付金具が、前記固定板部を内側にして相対向して配置され且つ一方の固定板部の裏面が他方の固定板部の表面に重合されて１対となされると共に、前記固定板部の重合部から円柱を経て残りの取付金具の固定板部に貫通する固定ボルトによってそれぞれの取付金具が円柱に取付けられるようになされていることを特徴とするものである。
【発明の効果】
【０００８】
本発明によれば、取付金具は、円柱の側壁に沿って円弧状に形成された湾曲板部と、前記湾曲板部の一端側に設けられて前記横ビームが支持される受け部と、該湾曲板部の他端側に設けられて円柱に固定される固定板部とを備え、前記固定板部を内側にして相対向して配置され、且つ一方の固定板部の裏面が他方の固定板部の表面に重合して配置される１対の取付金具が円柱の側壁に沿って配置されると共に、前記固定板部の重合部から円柱を経て残りの取付金具の固定板部に貫通される固定ボルトによってそれぞれの取付金具が円柱に取付けられるようになされているので、２個の横ビームが取付られる円柱に対して、更に1個の横ビームを分岐させて取付ける場合においても、分岐横ビームの取付金具は１個の固定ボルトを用いて固定することが可能であり、円柱に新たな固定孔等を設ける必要はなく、しかも既存の横ビームと高さを合わせることも容易であり、意匠性を損なうことがない。
【０００９】
又、本発明によれば、前記取付金具は、円柱の側壁に沿って円弧状に形成された湾曲板部と、前記湾曲板部の一端側に設けられて前記横ビームが支持される受け部と、該湾曲板部の他端側に設けられて円柱に固定される固定板部とを備え、前記固定板部を内側にして相対向して配置され且つ一方の固定板部の裏面が他方の固定板部の表面に重合して配置される１対の取付金具が円柱の側壁にそって２対配置されると共に、前記一方の固定板部の重合部から円柱を経て他方の固定板部の重合部を貫通される固定ボルトによってそれぞれの取付金具が円柱に取付けられるようになされているので、２個の横ビームが取付られる円柱に対して、更に２個の横ビームを分岐させて取付ける場合においても、分岐横ビームの取付金具は一個の固定ボルトを用いて固定することが可能であり、円柱に新たな固定孔等を設ける必要はなく、しかも既存の横ビームと高さを合わせることも容易であり、意匠性を損なうことがない。
【発明を実施するための最良の形態】
【００１０】
次に、本発明を実施するための最良の形態について図面を参照し、具体的に説明する。
【００１１】
すなわち、図１は本発明に係る横ビームの取付構造において実施の一形態を示す平面図、図２は図１のＡ−Ａ断面における拡大縦断面図、図３は図１の取付金具の説明図、図４は円柱と取付金具との関係を示す分解説明図、図５は円柱に対する取付金具の取付構造を示す拡大斜視図、図６は横ビームの取付構造を示す部分分解図、図７は図１の主要部の拡大斜視図、図８は本発明に係る横ビームの取付構造の変形を示す斜視図、図９は本発明に係る横ビームの取付構造において他の変形を示す斜視図である。
【００１２】
図面において、１は間隔をおいて立設された円柱、２は円柱１、１の間に架設される横ビーム、３は円柱１に取付けられる取付金具であり、本発明に係る横ビームの取付構造は、円柱１、横ビーム２、取付金具３とから主に構成されるものであり、隣合う円柱１に取付金具３が取付けられ、この取付金具３を介して円柱１の間に横ビーム２が取付けられるものである。
【００１３】
図１〜７は、本発明に係る横ビームの取付構造において実施の一形態を示す説明図である。先ず円柱１は、図１，２に示すように、適宜間隔で複数本地表に立設され、図４に示すように円柱１の正面側と背面側の適宜位置にボルト孔１１が相対して同一水準で穿設されている。そして円柱１の頂部にはキャップ１２が取付けられ、見栄えを良くすると共に、雨水などが円柱１の内面に流入するのを防いでいる。円柱１は断面円形状等の適宜断面形状の金属管で作製され、その表面は塗装やめっき等の処理が施されている。
【００１４】
横ビーム２は、隣合う円柱１の相対向する側壁間に取付金具３を介して架設されている。横ビーム２の端部側面には、図６に示すように相対して同一水準で固定孔２１が穿設されている。横ビーム２も、一般的に従来から用いられている断面円形状等の適宜断面形状の金属管で作製され、その表面は塗装やめっき等の処理が施されている。尚、図１において、１の円柱１に１乃至２の横ビーム２が取付けられるのみの場合、その取付金具は、取付金具３を用いてもよく、一般的に用いられる取付金具でもよい。
【００１５】
図３は、取付金具３の説明図であり、（ａ）は平面図、（ｂ）は正面図、（ｃ）は右側面図である。取付金具３は、円柱１の側壁に固定される縦板状の固定板部３１と横ビーム２が支持される略コ字状の受け板部３２とを備えている。固定板部３１は、円柱１の側壁に沿って円弧状に形成されると共に、固定板部３１の中央部には円柱固定孔３３が穿設されている。次に、受け板部３２は、縦板部３４と縦板部の上下端部に設けられた上下の横板部３５，３６とによって断面コ字状に形成されると共に、このコ字状部の内側に横ビーム２が配置される。本実施形態においては、固定板部３１において円柱１の円周方向の一端が立ち上げられて縦板部３４が形成されたると共に、固定板部３１の立ち上がり角部には立ち上がり方向に沿ってリブ３７が形成されており、取付金具３の剛性を高めたものとなっている。
【００１６】
取付金具３は、横ビーム２が支持されることを考慮すると金属製のものを用いるのが好ましく、一般にはアルミニウム、ステンレス、鉄鋼等の金属板をプレス成形加工したものや、それらにめっき、塗装を施したもの等を好適に用いることができる。本実施形態では、１個の鋼板をプレス成形により形成したものであるが、複数の金属板を溶接等の手段で接合して形成したものでもよい。
【００１７】
次に、横ビーム２を円柱１に架設する方法について詳しく説明する。
図４は、円柱１に４個の取付金具３を取付ける際の分解説明図である。先ず、円柱１の一方側に取付金具３を２個配置する。この時、２個の円柱は、それぞれ固定板部３１を内側にして相対向させる。続いて、一方の固定板部３１の裏面をもう一方の固定板部３１の表面に重合させてそれぞれの円柱固定孔３３の位置を合わせ、固定ボルトＢ１を円柱固定孔３３から、円柱１のボルト孔１１を貫通させる。そして、円柱１を貫通した固定ボルトＢ１の螺子先端に、前記と同様に固定板部３１どうしを重合した別の２個の取付金具３を通す。最後に、ワッシャＷ１とナットＮ１を固定ボルトＢ１に締結して４個の取付金具３を円柱１に固定する。
【００１８】
図５は、円柱１に４個の取付金具３を取付けた状態を示す斜視図である。図５に示すように、１個の固定ボルトＢ１を用いて４個の取付金具３が取付高さを合わせて円柱１に取付けることができる。又、固定板部３１の円柱固定孔３３は円柱１の円周方向に長い横長孔に形成されている。これにより、円柱１の円周方向に対して、取付金具３の取付位置を調節することができる。
【００１９】
図６，７は、横ビーム２を円柱１に取付ける取付方法の一実施形態を示すものである。先ず、横ビーム２を取付金具３の受け板部３２の高さまで持ち上げ、横ビーム２の端部をコ字状の受け板部３２の内面に配置して当接させる。続いて、受け板部３２の縦板部３４に設けられた横ビーム固定孔３８から横ビーム２の固定孔２１に固定ボルトＢ２を挿通させ、ワッシャＷ２及びナットＮ２によって横ビーム２の端部を取付金具３に固定する。これにより、図７に示すように、横ビーム２が取付金具３を介して円柱１に取付けられる。
【００２０】
受け板部３２において、縦板部３４は、固定板部３１から離れる方向に向けて上下方向に幅狭となる台形状に形成されると共に、この台形状の上下斜辺から横板部３５，３６が横ビーム２を覆って形成されている。これにより、縦板部３４と横板部３５，３６との角部と横ビーム２との間に形成される隙間は、固定板部３１から離れる程小さくなるので、その先端部側の隙間から指等を入れにくくなる。又、横ビーム２は、受け板部３２の縦板部３４に当接されているが、横板部３５，３６との間には隙間が形成されており、加えて、前記受け板部３２の構造により、横ビーム２と横板部３５，３６との隙間は、固定板部３１側ほど大きく形成されている。これにより、横ビーム２は固定ボルトＢ２を支軸として上下方向に傾斜させることができるので、設置場所の地面の不陸や、円柱１の埋め込み高さ、取付金具３の取付高さ等に施工誤差を吸収させることができる。
【００２１】
図６に示すように、本実施形態においては、横ビーム２の端部には、取付金具３の反対側に押さえ金具４が配置されている。押さえ金具４は、取付金具３の受け板部３２と同様な形態である。すなわち、押さえ金具４は、前記横ビーム固定孔４１が設けられた縦板部４２と縦板部の上下端部に設けられた上下の横板部４３，４４とによって断面コ字状に形成されると共に、縦板部４２は円柱１から離れる方向に向けて上下方向に幅狭となる台形状に形成され、この台形状の上下斜辺から横板部４３，４４が横ビーム２を覆うように形成されている。そして、取付金具３の反対側から押さえ金具４を横ビーム２に被せるように配置される。そして、固定ボルトＢ２が受け板部３２の縦板部３４の横ビーム固定孔３８から横ビーム２の固定孔２１を経て押さえ金具４の横ビーム固定孔４１に挿通され、ワッシャＷ２及びナットＮ２により締結されることにより、取付金具３と押さえ金具４との間に横ビーム２が取付けられる。
【００２２】
横ビーム固定孔３８，４１は、横ビーム２の長手方向に延設された長孔に形成されている。従って、隣合う円柱１の間に横ビーム２を取付ける際、円柱１の取付位置の設置誤差や部材の加工誤差等による誤差寸法を吸収することができる。
【００２３】
取付金具３の受け板部３２において、コ字状部を固定板部３１と反対側に開口するように形成させると、受け板部３２と固定ボルトＢ１とが干渉したり、受け板部３２の円柱固定孔３３の横幅を十分確保できないおそれがあるので、本実施形態の如く、受け板部３２のコ字状部が固定板部３１側に開口するように形成することが好ましい。
【００２４】
そして、この構造により、取付金具３及び押さえ金具４は１種類用意すれば、円柱１から４方向に向けて横ビーム２を取付けることができるので、コストを抑えることができ、又、取付時に作業者は、取付方向等に合わせて取付金具３や押さえ金具４を使い分ける必要はなく、施工性を高めることができる。横ビーム２は、図２に示すように、１の円柱１に対して上下２段に取付けられているが、１段のみでもよく、３段以上の複数段でもよく、必要に応じて適宜用いることができる。
【００２５】
尚、円柱１から３方向に向けて横ビーム２を３個取付ける場合は、上記において取付金具３を３個用いて同様な作業を実施すればよい。
【００２６】
更に、円柱１に２個の横ビーム２が取付けられた状態から、横ビーム２を１又は２個追加して横ビーム２を分岐させた形態で取付けたい場合、追加用の横ビーム２を取付けるための取付金具３は、新たに円柱１にボルト孔１１を設ける必要はなく、既設のボルト孔１１を用いて取付けることができる。そして、この追加で取付けた取付金具３は、既設の取付金具３と同じ高さとなるので、前記分岐用の横ビーム２は、既設の横ビーム２と同じ高さで取付けることができるので、意匠性を損なうことがない。又、横ビーム２を取り外す場合も、取付金具３を円柱１から外すだけでよく、取付金具３を外した後の箇所は円柱１の側壁部であり、意匠性も損なうことがない。更に、柵等のコーナー円柱に取付ける場合においても、２個の取付金具３を用いてコーナーを形成する横ビーム２をコーナーの円柱１に取付蹴ることができる。すなわち、柵等において、円柱１に横ビーム２が連結する際、取付金具３を用いて、直線状部、コーナー部、Ｔ字状、及び十字状に連結することができる。
【００２７】
図８は、本発明に係る横ビームの取付構造の変形を示す斜視図である。図８においては、図１に示された円柱１の間に架設された横ビーム２の下方にメッシュパネル５が取付けられたものである。このメッシュパネル５は、多数の縦線材と横線材とから格子状に形成されると共に、上下端部が筒状に折り曲げられて胴縁５１が形成され、この胴縁５１に円柱１に取付けた接続金具５２を介して円柱１の間に取付けられたものである。尚、メッシュパネル５の形態や、円柱１に対する接続構造は本実施形態に限定されるものではなく、例えば矩形状の枠内に格子状のメッシュパネルを取付け、これを円柱１の間に取付けたものでもよい。又、図１に示すように、横ビーム２の下方にとメッシュパネル５を取付けた箇所と取付けていない箇所とが併存した形態としてもよい。
【００２８】
図９は、本発明に係る横ビームの取付構造において他の変形を示す斜視図である。図９においては、互いに上下に間隔をおいて並設された横ビーム２から側方に向けて表示パネル６が取付けられたものである。この表示パネル６は、表示面６１が形成されたパネル本体６２と、このパネル本体６２の上下端部を支持する略横Ｕ字状のフレーム６３とを備え、横ビーム２に取付けられた取付金具６４を介して、上下の横ビーム２に取付けられたものである。このように、既存の柵やフェンスが併設された箇所に、横ビーム２を架設させて、柵やフェンスの間に新たに仕切り材設けることが可能となり、加えて仕切り材に記号、名称、案内、標識等が表示された表示パネルを取付けることができるので、臨時に仕切り材を設けたり、その仕切りの目的等を表示し或いは案内したりすることが可能となる。
【産業上の利用可能性】
【００２９】
本発明によれば、円柱から３方向或いは４方向に向けて横ビームを取付けることができるので、駐輪場等の仕切り用の柵等に好適に用いることができる。加えて、このような柵において、仕切り用の横ビームの位置を変更したい場合や、横ビームを追加して取付けたい場合にも取り外しが容易であり好適に用いられる。
【図面の簡単な説明】
【００３０】
【図１】本発明に係る横ビームの取付構造において実施の一形態を示す平面図である。
【図２】図１のＡ−Ａ断面における縦断面図である。
【図３】図１の取付金具の説明図である。
【図４】円柱と取付金具との関係を示す分解説明図である。
【図５】円柱に対する取付金具の取付構造を示す拡大斜視図である。
【図６】横ビームの取付構造を示す部分分解図である。
【図７】図１の主要部の拡大斜視図である。
【図８】本発明に係る横ビームの取付構造の変形を示す斜視図である。
【図９】本発明に係る横ビームの取付構造において他の変形を示す斜視図である。
【符号の説明】
【００３１】
１    円柱
２    横ビーム
３    取付金具
３１  固定板部
３２  受け板部
３３  円柱固定孔
３４  縦板部
３５，３６  横板部
４    押さえ金具
５    メッシュパネル
６    表示パネル
Ｂ１  固定ボルト
【図１】
0005066019.tif 000002
【図２】
0005066019.tif 000003
【図３】
0005066019.tif 000004
【図４】
0005066019.tif 000005
【図５】
0005066019.tif 000006
【図６】
0005066019.tif 000007
【図７】
0005066019.tif 000008
【図８】
0005066019.tif 000009
【図９】
0005066019.tif 000010